(57)【要約】【課題】本発明は、水跳ねを抑制することができるとともに洗浄における作業性をも向上させることができるシステムキッチンを提供する。【解決手段】カウンターと、平滑かつ略水平なシンク底面を有するシンクと、水栓と、を備え、前記水栓は、前記シンクの前面よりも後方側であって前記カウンターの上面よりも上方側に位置する吐水口を有し、前記吐水口は、前記シンク底面に対して傾斜しており、且つ着水面に略一方向に流れる水の流れを有する水膜を形成する吐水流を放出する、ことを特徴とするシステムキッチンが提供される。【選択図】図１
2009235821.tif 000002
【特許請求の範囲】
【請求項１】
カウンターと、
平滑かつ略水平なシンク底面を有するシンクと、
水栓と、
を備え、
前記水栓は、前記シンクの前面よりも後方側であって前記カウンターの上面よりも上方側に位置する吐水口を有し、
前記吐水口は、前記シンク底面に対して傾斜しており、且つ着水面に略一方向に流れる水の流れを有する水膜を形成する吐水流を放出する、ことを特徴とするシステムキッチン。
【請求項２】
前記吐水口は、前記カウンターの上面に対して４０°以上、８０°以下に傾斜して設けられること、を特徴とする請求項１記載のシステムキッチン。
【請求項３】
前記水栓は、吐水された水の少なくとも一部が、シンク前面と、シンク後面と、の中央部よりも前記シンク前面側の前記シンク底面に着水するような吐水を行うこと、を特徴とする請求項１または２に記載のシステムキッチン。
【請求項４】
前記シンク前面と前記シンク底面との間には溝部が形成されていること、を特徴とする請求項１〜３のいずれか１つに記載のシステムキッチン。
【発明の詳細な説明】
【技術分野】
【０００１】
本発明は、システムキッチンに関し、具体的には水栓とシンクとカウンターとを備えたシステムキッチンに関する。
【背景技術】
【０００２】
調理中などにおいては、包丁や野菜、食器などに付着している汚れを落とすために、洗浄が行われる。この洗浄においては、洗浄効果を向上させて洗浄作業を早期に終了させるようにすることが好ましい。また、水栓から吐水された水がシンク底面に当たって跳ね返る現象、いわゆる「水跳ね」を抑制することが好ましい。    
そのため、洗浄効果を高めるとともに水跳ねを抑制するための技術（特許文献１を参照）や、水跳ねを抑制するための技術（特許文献２、３を参照）が提案されている。
【特許文献１】登録実用新案第０３０５５１０５号公報
【特許文献２】特開２００７−１９８０１９号公報
【特許文献３】特開２００６−１８８８３０号公報
【発明の開示】
【発明が解決しようとする課題】
【０００３】
しかしながら、特許文献１、２に開示がされた技術では、着水面に略垂直に吐水が当たることになる。そのため、着水時の衝撃が大きく水跳ねを抑制できないおそれがある。また、特許文献２に開示がされた技術では、斜面に向けて吐水を行っているため着水した水が下方に流れ落ちるのが阻害される。そのため、水が滞留し、滞留した水に勢いよく吐水があたることで、かえって水跳ねが大きくなるおそれもある。
また、特許文献３に開示がされた技術では、棒状水により着水膜を形成し、着水膜にシャワー水を着水させることで水跳ねを抑制するようにしている。そのため、棒状水の着水点を囲むようにシャワー吐水を着水させる必要がある。その結果、洗浄物を洗浄する際には、シャワー吐水のほかにも棒状水を吐水させる必要があり、棒状水の分だけ無駄な水が流されるおそれがある。また、棒状水の着水位置とシャワー吐水の着水位置とを合わせる必要があり、シャワー吐水の水勢、水量などに制限が加わるおそれがある。
本発明は、かかる課題の認識に基づいてなされたものであり、水跳ねを抑制することができるとともに洗浄における作業性をも向上させることができるシステムキッチンを提供する。
【課題を解決するための手段】
【０００４】
本発明の一態様によれば、カウンターと、平滑かつ略水平なシンク底面を有するシンクと、水栓と、を備え、前記水栓は、前記シンクの前面よりも後方側であって前記カウンターの上面よりも上方側に位置する吐水口を有し、前記吐水口は、前記シンク底面に対して傾斜しており、且つ着水面に略一方向に流れる水の流れを有する水膜を形成する吐水流を放出する、ことを特徴とするシステムキッチンが提供される。
【発明の効果】
【０００５】
本発明によれば、水跳ねを抑制することができるとともに洗浄における作業性をも向上させることができるシステムキッチンが提供される。
【発明を実施するための最良の形態】
【０００６】
以下、図面を参照しつつ、本発明の実施の形態について例示をする。尚、各図面中、同様の構成要素には同一の符号を付して詳細な説明は適宜省略する。
【０００７】
図１は、本発明の実施の形態に係るシステムキッチンを例示するための模式斜視図である。  
本実施の形態にかかるシステムキッチン１０は、水栓２０と、シンク３０と、カウンター６０と、を備えている。水栓２０には、整流吐水部２２と、シャワー吐水部２４と、が設けられている。シンク３０は、平滑かつ略水平なシンク底面３４と、シンク前面３６と、シンク左側面３７ａと、シンク右側面３７ｂと、シンク後面３８と、を備えている。また、システムキッチン１０には、カウンター６０の左側方および右側方の少なくともいずれかに延在する調理台（図示せず）が備えられるようにすることもできる。尚、「整流」とは水流が略一本の吐水形態を意味し、「シャワー」とは水流が複数本の吐水形態または膜状の吐水形態を意味するものとする。
【０００８】
水栓２０は、使用者から見てシンク３０の奥側、すなわちシステムキッチン１０の後方で、且つカウンター上面６２に設けられている。水栓２０の下部、すなわちカウンター６０に取り付けられている近傍の部分は、カウンター上面６２に対して略垂直になるように設けられている。そして、所定の寸法よりも上方に位置する上部は、カウンター上面６２に対して傾斜して設けられている。この場合、傾斜角度（吐水口角度θ）は、例えば、カウンター上面６２に対して６０°程度とすることができる。尚、吐水口角度θについては後述する。
【０００９】
また、カウンター上面６２とシンク後面３８との連接部分（略稜線部分）に、ある一定の角度で傾斜した図示しない設置面を設け、この設置面に対して略垂直に設けられる直線状の水栓とすることもできる。また、シンク後面３８からカウンター上面６２に対して水平方向に所定の寸法だけ延在させ、先端をさらにカウンター上面６２に対して略垂直方向に所定の寸法だけ延在させるとともに、所定寸法より上方に位置する部分をカウンター上面６２に対して傾斜させたような形状の水栓とすることもできる。また、シンク３０の後方であって、カウンター上面６２に対して略垂直な壁面に設けられ、この壁面から水平方向に所定の寸法だけ延在させ、先端をカウンター上面６２に対して傾斜させたような形状の水栓とすることもできる。
【００１０】
尚、水栓の形状は例示したものに限定されるわけではなく、カウンター上面６２に対して斜め方向から吐水をすることができるような形状であればよい。また、水栓の設置場所も適宜変更することができる。
また、水栓２０は、シンク前面３６よりも後方側であってカウンター６０の上面よりも上方側に位置する吐水口を有している。
そのため、整流吐水部２２およびシャワー吐水部２４は、カウンター上面６２に対して傾斜した状態でシンク３０に向かって設けられることになる。すなわち、整流吐水部２２およびシャワー吐水部２４は、シンク６０の後方であって、且つシンク６０の上方に傾斜した状態で設けられる。そのため、吐水口（整流吐水部２２、シャワー吐水部２４）からシンク底面３４に対して傾斜した方向から吐水流を放出することで、着水面に略一方向に流れる水の流れを有する水膜を形成させることができる。尚、略一方向に流れる水の流れに関しては後述する。尚、本願明細書において「水」という場合には、「湯」や「温水」を含むものとする。
【００１１】
図２は、水栓の吐水口部分を例示するための模式図である。    
尚、図２（ａ）は、吐水口部分の模式正面図であり、図２（ｂ）は、図２（ａ）におけるＡ−Ａ矢視断面を表す模式断面図であり、図２（ｃ）は、図２（ａ）におけるＢ−Ｂ矢視断面を表す模式断面図である。
【００１２】
水栓２０は、その先端近傍に設けられた整流吐水部２２と、整流吐水部２２の下方に設けられたシャワー吐水部２４と、を備えている。また、水栓２０は、整流吐水部２２へ水４０を導くための整流用配水管２３と、シャワー吐水部２４へ水４０を導くためのシャワー用配水管２５と、を備えている。
図２に示したように、シャワー吐水部２４には、一端を開口し、上下方向を長手方向とする略直方体形状の貯留部２４ｂが設けられている。そして、貯留部２４ｂの開口部分を覆うように散水孔を有する図示しない散水板（図３、図５〜図８を参照）が設けられている。そのため、本実施形態の水栓２０は、整流吐水とシャワー吐水と、を行うことができる。整流吐水とシャワー吐水との切替は、例えば水栓２０の先端に設けられた図示しない切替部手段によって行うことができる。この切替部手段は、水栓２０の根元や、カウンター上面６２に設けられていてもよい。
【００１３】
後述するように、シャワー吐水部２４から吐水された直後の水４０の吐水断面は、上下方向を長手方向とする偏平形状（例えば、略矩形形状）を呈している。そして、前述したように、水栓２０の上部はカウンター上面６２に対して吐水口角度θだけ傾斜しているので、シャワー吐水部２４から吐水される水もカウンター上面６２に対して斜め方向からシンク底面３４に向けて吐水されることになる。そのため、カウンター上面６２を横切る際の水４０の水平方向断面は、カウンター前縁６４に対して略垂直な方向を長手方向とする偏平形状（例えば、略矩形形状）を呈することになる。
【００１４】
整流用配水管２３は、水栓２０の左側方寄りを通って、貯留部２２ｂの左側方かつ下方に接続されている。一方、シャワー用配水管２５は、水栓２０の右側方寄りを通って、貯留部２４ｂの右側方かつ下方に接続されている。
【００１５】
水栓２０の左右方向の幅寸法Ｌ２は、洗浄物の大きさに応じて適宜変更することができる。例えば、洗浄する対象は一般的に手、包丁や鍋等の調理器具、あるいは食材等であるが、幅寸法Ｌ２とともに後述する横幅寸法Ｌ５（図３を参照）を長くしすぎると小さなものを洗う際に余分に水を使用してしまうおそれがある。一方、幅寸法Ｌ２とともに後述する横幅寸法Ｌ５を短くしすぎると、狭い範囲にしか水がかからないため、大きなものを洗浄する際に手を大きく動かさなければならなくなる。
【００１６】
本実施の形態においては、手や包丁等を簡単に洗うことを考慮に入れて水栓２０の左右方向の幅寸法Ｌ２を設定するようにしている。そのため、「簡単洗い」においては、洗浄物をシャワー吐水に差し出すだけで洗浄をすることが可能となっている。
【００１７】
尚、「簡単洗い」は、主にすすぎ洗いを行う動作であり、具体的には、包丁、まな板、あるいは汚れの少ない野菜などを洗う動作である。洗浄時間は短く、例えば約２秒程度である。これに対して、「丁寧洗い」は、主にこすり洗いを行う動作であり、具体的には泥汚れ、油汚れ、あるいは肉や魚の「ヌメリ」などを洗う動作である。洗浄時間は、「簡単洗い」よりも長く、例えば約１０秒以上である。
【００１８】
この場合、例えば、幅寸法Ｌ２を約４０ｍｍ程度、横幅寸法Ｌ５を約２０ｍｍ程度とすれば、手や包丁の刃の部分を左右方向に移動させること無く「簡単洗い」を行うことができる。ただし、例示をした寸法に限定されるわけではなく、洗浄物の大きさなどに応じて適宜変更することができる。
【００１９】
図３は、シャワー吐水部に設けられる散水板を例示するための模式図である。  
尚、図３（ａ）は、散水板を正面から眺めた場合の模式図であり、図３（ｂ）は、散水孔群を例示するための模式図である。  
図３に例示をする散水板２６は、貯留部２４ｂの開口部分を覆うようにして水栓２０のシャワー吐水部２４に固定される。散水板２６には、複数の散水孔群２７が設けられている。また、散水孔群２７は、水４０をシャワー水として吐水するための散水孔２７ａを複数備えている。図３（ａ）に示すように、例えば、散水孔群２７を５行×２列に配列することができる。また、図３（ｂ）に示すように、例えば、散水孔２７ａを同心円上に２列に配列することができる。この場合、例えば、散水孔２７ａの数を合計約３０個程度とすることができる。そのため、貯留部２４ｂを介して散水孔２７ａから水を吐水させることができ、吐出された水はシャワー水としてシンク底面３４に着水するようになっている。
図４は、洗浄対象の形状を例示するための模式図である。尚、図４（ａ）は、一般的な包丁を例示するための模式図であり、図４（ｂ）は、使用者の手を例示するための模式図である。    
本発明者の得た知見によれば、一般的な包丁の刃の長さＬ１０は１７０ｍｍ程度であり、刃の幅Ｌ１１は３０ｍｍ程度である。また、２０〜６９歳の人の手の幅寸法Ｌ１２は、男性では、最大１１４．６ｍｍ程度、最小９０．４ｍｍ程度、平均１０２．６ｍｍ程度であり、女性では、最大１０３．１ｍｍ程度、最小８０．８ｍｍ程度、平均９１．８ｍｍ程度である。また、手の長さ（指先から手首までの長さ）Ｌ１３は、男性では、最大１９７ｍｍ程度、最小１６５．６ｍｍ程度、平均１８１ｍ程度であり、女性では、最大１８１．２ｍｍ程度、最小１５４．４ｍｍ程度、平均１６７．３ｍｍ程度である。
【００２０】
ここで、散水孔２７ａが設けられる領域の横幅寸法Ｌ５と縦幅寸法Ｌ６とについて説明をする。尚、図３に示すように、横幅寸法Ｌ５は、配設された散水孔２７ａのうち、最左端と最右端に設けられたものの外縁の最も外側に位置する部分間の寸法である。また、縦幅寸法Ｌ６は、配設された散水孔２７ａのうち、最上端と最下端に設けられたものの外縁の最も外側に位置する部分間の寸法である。
【００２１】
システムキッチン１０に設けられる水栓２０としては、包丁などの調理器具や使用者の手に対して洗浄水を広範囲に吐水できることが好ましい。
【００２２】
その中でも幅寸法が短い包丁に対して、洗浄水が包丁の幅の略全体わたって吐水され、且つ包丁に当たらずにシンク３０に直接着水することを抑制することが好ましい。これは、洗浄物に当たらない無駄な吐水を抑制するためである。本発明者の得た知見によれば、一般的な包丁の刃の幅寸法Ｌ１１（３０ｍｍ程度）に対して横幅寸法Ｌ５を２０ｍｍ程度とすれば、吐水された洗浄水が包丁に当たらずにシンク３０に直接着水することを抑制することができる。これにより、吐水された水を洗浄のための水として有効に利用することができ、洗浄に使われない無駄な水を削減することができる。
【００２３】
また、図４において説明をしたように、調理器具や手などの洗浄物は１７０ｍｍ程度の長さを有するものが多い。しかしながら、これらの洗浄物の略全長に一度に洗浄水を吐水すると、大流量の水を消費してしまう。本発明者の得た知見によれば、洗浄物の全長の略半分の長さに対して洗浄水を吐水し、洗浄物上を流れる流水によって残りの略半分の長さを洗い流すようにすれば、水の使用量を抑制しつつ洗浄効果を向上させることができる。
【００２４】
ここで、シャワー吐水部２４（散水孔２７ａ）から吐水された洗浄水の進行方向に対して、洗浄物を略垂直に差し出すと大きな水跳ねが発生してしまう。そのため、使用者は、シャワー吐水部２４（散水孔２７ａ）から吐水された洗浄水の進行方向に対して略並行に洗浄物を差し出すことによって、水跳ねを抑制しようとする。そのため、縦幅寸法Ｌ６を洗浄物の全長の略半分の長さよりも短くしても、洗浄物上においては洗浄物の全長の略半分の長さ程度に吐水があたるようになる。本発明者の得た知見によれば、例えば、縦幅寸法Ｌ６を６５ｍｍ程度とすれば、７０ｍｍ程度から７５ｍｍ程度の長さに相当する洗浄水を洗浄物にあてることができる。その結果、洗浄物の広範囲に吐水を行うことができるとともに、水の使用量を抑制することができる。
【００２５】
ただし、散水孔２７ａが設けられる領域の横幅寸法Ｌ５と縦幅寸法Ｌ６は例示をした寸法に限定されるわけではない。この場合、縦幅寸法Ｌ６が横幅寸法Ｌ５よりも大きくなるようにすれば、洗浄物の大きさなどに応じて適宜変更することができる。
また、散水孔２７ａの孔の軸線を散水板２６の中心側から外側に向けて形成するようにすれば、拡散するような吐水を行うことができる。そのため、横幅寸法Ｌ５や縦幅寸法Ｌ６を小さくしながらも、同一の吐水範囲の吐水を得ることもできる。その場合、散水板２６の寸法を小さくできるため、スペース効率を向上させることができる。
【００２６】
吐水流は、水栓前面に対し、略垂直に流れている。吐水流が洗浄物を支える手と交わる方向から吐出されると、手が濡れてしまうため、都合が悪い。また、洗浄面を見やすくするという観点からは、使用者に対し向かってくる側、すなわち奥側から吐出されれば、視界を遮るものがないため好適である。また「簡単洗い」を行う場合、使用者は、シンク正面に対面して水栓を使うことより、シンクの左右の端に立って水栓を使うことが多い。そのような使い方に対し、略垂直から吐水流が吐出されると、洗浄面の見やすさ、水のかかりやすさの観点から最適である。
【００２７】
次に、シャワー吐水部２４に固定される散水板の変形例について例示をする。  
図５〜図８は、シャワー吐水部２４に固定される散水板の変形例を例示するための模式図である。  
図５に示すように、散水板２６ａには散水孔群４７が１つ設けられている。また、散水孔群４７にも、水４０をシャワー水として吐水するための散水孔２７ａが複数設けられている。例えば、散水孔２７ａを碁盤目状に配列することができる。この場合、例えば、散水孔２７ａの配列を９行、１０列とし、その数を合計約９０個程度とすることができる。
配設された散水孔２７ａのうち、最上端と最下端に設けられたものの外縁の最も外側に位置する部分間の寸法Ｌ１６ａと、最左端と最右端に設けられたものの外縁の最も外側に位置する部分間の寸法Ｌ１５ａと、を等しくすることができる。この場合、例えば、寸法Ｌ１５ａ、１６ａとを２０ｍｍ程度とすることができる。なお、散水孔２７ａは、図３に例示をした散水孔と同じものとすることができる。
このようにしても、貯留部２４ｂを介して散水孔２７ａから水を吐水させることができる。また、吐出させた水をシャワー水としてシンク底面３４に着水させることができる。
【００２８】
図３に例示をする散水板２６によれば縦方向（図の上下方向）に長い吐水をさせることができるが、図５に例示をする散水板２６ａの場合は縦方向（図の上下方向）に比較的短い吐水をさせることができるようになっている。
そのため、縦方向（図の上下方向）の寸法Ｌ１６ａは、図３に例示をする縦幅寸法Ｌ６よりも短くされている。
尚、散水孔２７ａの数やピッチ、列数や行数などは図示したものに限定されるわけではなく適宜変更することができる。
【００２９】
図６に示すように、散水板２６ｂには、合計３つの散水スリット２８が設けられている。この場合、散水スリット２８の横方向（図の左右方向）の寸法Ｌ１５は、例えば、１ｍｍ程度とすることができる。一方、縦方向（図の上下方向）の寸法Ｌ６ａは、例えば、６５ｍｍ程度とすることができる。
【００３０】
また、左側に設けられた散水スリット２８の左端と、右側に設けられた散水スリット２８の右端と、の間の寸法Ｌ５ａは、例えば、２０ｍｍ程度とすることができる。尚、図６に例示をしたものの場合には、寸法Ｌ５ａが前述した横幅寸法Ｌ５に該当し、寸法Ｌ６ａが縦幅寸法Ｌ６に該当することになる。
【００３１】
ただし、例示をした寸法に限定されるわけではなく、洗浄物の大きさなどに応じて適宜変更することができる。また、散水スリット２８の配設数についても、３つに限られるわけではなく適宜変更することができる。
図６に例示をしたもののように、複数の散水スリット２８を備えた散水板２６ｂを用いれば、複数の幕状の吐水を行うことができる。そのため、図５に例示をした散水板２６ａに比べて洗浄水をより広範囲に吐水することができる。すなわち、例えば、幅寸法が長い包丁などに対しても、洗浄水をその幅の略全体に当てることができる。また、洗浄物の全長の略半分の長さに対して連続した幕状の吐水を行い、且つ洗浄物上を流れる流水によって残りの略半分の長さを洗い流すこともできる。これにより、洗浄物の全長方向（長手方向）に対して効率よく洗浄水を当てることができるので、水の使用量を抑制することができる。
【００３２】
図７に示すように、散水板２６ｃには散水孔群５７が１つ設けられている。また、散水孔群５７にも、水４０をシャワー水として吐水するための散水孔２７ａが複数設けられている。例えば、散水孔２７ａを同心円上に４列に配列することができる。この場合、例えば、散水孔２７ａの数を合計約６０個程度とすることができる。
図７に例示をするものの場合には、散水孔２７ａが同心円上に配置されているので、  最上端と最下端に設けられたものの外縁の最も外側に位置する部分間の寸法Ｌ２６ａと、最左端と最右端に設けられたものの外縁の最も外側に位置する部分間の寸法Ｌ２５ａと、は等しくなる。 この場合、例えば、寸法Ｌ２５ａ、２６ａとを２０ｍｍ程度とすることができる。なお、散水孔２７ａは、図３に例示をした散水孔と同じものとすることができる。
このようにしても、貯留部２４ｂを介して散水孔２７ａから水を吐水させることができる。また、吐出させた水をシャワー水としてシンク底面３４に着水させることができる。
【００３３】
図３に例示をする散水板２６によれば縦方向（図の上下方向）に長い吐水をさせるように成っているが、図７に例示をする散水板２６ｃの場合は縦方向（図の上下方向）に比較的短い吐水をさせることができるようになっている。
そのため、縦方向（図の上下方向）の寸法Ｌ２６ａは、図３に例示をする縦幅寸法Ｌ６よりも短くなっている。
なお、散水孔２７ａの数やピッチなどは図示したものに限定されるわけではなく適宜変更することができる。
【００３４】
図８に示すように、散水板２６ｄには複数の散水孔２７ｂが設けられている。散水孔２７ｂは、散水板２６ｄの横幅（図の左右方向の幅）の略中心に、略一直線状に設けられている。また、配設された散水孔２７ｂのうち、最上端と最下端に設けられたものの外縁の最も外側に位置する部分間の寸法Ｌ６ｃは、例えば、６５ｍｍ程度とすることができる。また、散水孔２７ｄの直径寸法は、図３に例示をした散水孔２７ａよりも大きいものとされている。尚、図８に例示をしたものの場合には、散水孔２７ｄの直径寸法が前述した横幅寸法Ｌ５に該当し、寸法Ｌ６ｃが縦幅寸法Ｌ６に該当することになる。
【００３５】
ただし、例示をした寸法に限定されるわけではなく、洗浄物の大きさなどに応じて適宜変更することができる。また、散水孔２７ｂの配設数や配設ピッチなども図示したものに限定されるわけではなく適宜変更することができる。また、任意の曲線、傾斜や屈折した直線などに沿って散水孔２７ｂを設けるようにすることもできる。また、散水孔２７ｂの形状も図８に例示をした円形に限定されるわけではなく任意の形状とすることができる。また、配列数も１列に限らず複数列としても良い。
散水孔２７ｂを備えた散水板２６ｄを用いれば、図３に例示をした散水板２６に比べて一粒あたりの水量が多いシャワー水を吐水することができる。そのため、吐水が洗浄物に衝突したときの力をより大きくすることができる。そのため、洗浄物の汚れを流し落とす力を大きくすることができるので、「丁寧洗い」を行うのに好適である。
【００３６】
次に、水跳ねについて説明をする。    
図９〜図１１は、着水面に対し垂直に吐水がされた場合の水跳ねを例示するための模式図である。    
また、図１２〜図１４は、着水面に対し斜め方向から吐水がされた場合の水跳ねを例示するための模式図である。  
尚、図１０（ａ）、図１３（ａ）は一本の水流を例示するための模式図であり、その他の図は複数の水流を例示するための模式図である。この場合、水流には図６に例示したような幕状の水流をも含むものとする。
【００３７】
図９〜図１１に示すように、水栓２０から吐水された水４０が着水面１００に対して垂直に着水すると、水４０は、あらゆる方向に対して略同等に流れようとする。すなわち、水４０は着水面１００の全体に広がろうとする。一本の水流しか存在せず、かつ着水部に障害物が存在しない場合、水４０は着水部から遅延なく排出される。着水部とは、水４０が着水する場所のことである。しかしながら、シャワー吐水のように複数の水流の吐水が行われた場合には、図９や図１０（ｂ）に示すように隣り合う水流との間の領域４４において、互いの進行方向を打ち消し合うように水４０が流れようとする。その結果、水４０は流れを失い、その場に滞留しようとするか、もしくは上方にその方向を変えられ、滞留する水がちぎれ、水滴として、飛び散ろうとする。水滴として飛び散るほどのエネルギーを有さない場合においても、領域４４の水面は著しく乱れ、乱れは近傍に伝播される。そして、図１１に示すように、乱れが伝播され、波を打った水４０ｂの水面に略垂直方向から水４０が着水すると、さらに乱れが増幅され、波が大きくなり、ある曲率以上に変形された水面は、水滴として周囲に放出される。
【００３８】
この場合、隣り合う水流との間の領域４８においては、跳ねた水滴どうしが合体し、大きな水滴となることもあれば、水滴どうしが衝突によりさらに細かな水滴に分裂することもあり、その態様はさらに複雑となる。さらに、滞留した水４０ｂに対して垂直に着水した水４０は、一方向に水跳ねを生じさせるわけではなく、あらゆる方向に水跳ねを生じさせる。そのため、例えば、領域５０や領域５２において生じた水跳ねは打ち消されることはない。
【００３９】
これに対し、図１２〜図１４に示すように、水栓２０から吐水された水４０が着水面１００に対して斜め方向から着水すると、水４０は略進行方向である矢印Ｃ、矢印Ｄ、矢印Ｅの方向に流れようとする。すなわち、着水面に略一方向に流れる水の流れを有する水膜が形成されることになる。
また、この場合、略進行方向に向かうエネルギーが大きいため、着水した大部分の水４０が略進行方向に流れようとする。この場合、同一の方向に向かう流れとなり、水面の乱れが軽減されるため、水滴として放出される確率が低くなる。また、図１４に示したように、水の流れができ、安定している水面４０ｂに、斜め方向から水４０が着水すると、流れと同一方向であることから、衝突の衝撃が緩和され、水面の乱れが抑制されるため、水跳ねが軽減される。また、図１３（ｂ）に示したように、水４０は略一方向（略進行方向）に合流するようにして流れる。すなわち、吐水口から着水面１００（例えば、シンク底面３４）に対して傾斜した方向に吐水流を放出することで、着水面１００を略一方向に流れる水の流れを形成させることができる。尚、この場合においても、図１４に示すように、隣り合う水流との間の領域４６においては、干渉し合い、水面が乱れ、水跳ねが生じることもあるが、進行方向に向かうエネルギーの方が大きいため、干渉する方向に向かうエネルギー量は小さくなる。そのため、水面の乱れも小さくなり、水跳ね量は少なくなる。
【００４０】
ここで、本発明者の得た知見によれば、着水面１００に対し斜め方向から水４０を着水させることで生じさせた水４０の流れの上に次の水４０を着水させるようにすれば、水跳ねを抑制することができる。この原因は、必ずしも明らかではないが以下のことが考えられる。すなわち、斜め方向から水４０を着水させることで着水時の衝撃を緩和することができる。また、すでに着水している水４０の上に着水する場合においても、進行方向が一致するため、水面の乱れが生じにくい。尚、水跳ねを抑制することができるとともに、着水音をも抑制することができる。また、斜め方向から水４０を着水させることで一方向の水の流れを強制的に作り出すことができる。そのため、水勢を高めることができるので滞留する水４０の量が少なく、すでに着水している水４０が水跳ねを起こすことを抑制することができる。この場合、水の滞留を少なくして水跳ねを抑制するためには、着水面１００（例えば、シンク底面３４）は平滑、略水平であることが好ましい。
【００４１】
次に、吐水口角度θと水跳ねとの関係を説明する。      
図１５は、水跳ね試験の概要を例示するための模式図である。尚、図１５（ａ）は、水跳ね試験の様子を例示するための模式断面図、図１５（ｂ）は、図１５（ａ）における矢視方向から見た模式平面図である。      
図１５（ａ）に示すように、カウンター上面６２に対して１５°傾斜させたアクリル板（縦５００ｍｍ×横５００ｍｍ）をシンク３０内に挿入し、カウンター上面６２の高さを横切る水４０を受けるようにした。そして、図１５（ｂ）に示すように、水膜（滞留する水）が形成されていない領域１１０ａに水跳ねした水滴量を測定した。この場合、吐出時間は１５０秒としている。また、吐水口角度θを３０°〜９０°の範囲で変化させて、水跳ねした水滴量を測定している。尚、アクリル板の傾斜角度１５°は、吐水された水４０がシンク底面３４に着水した時の着水の角度との差を考慮したものである。すなわち、シンク底面３４に着水した時の着水の角度に合わせるための補正値である。
【００４２】
図１６は、吐水口角度と水跳ねとの関係を例示するためのグラフ図である。    
尚、横軸は吐水口角度θを表し、縦軸は図１５に例示をした水跳ね試験により測定した水滴量を水跳ね量として表したものである。
【００４３】
図１６に示すように、図１５に例示をした水跳ね試験によれば、吐水口角度θが３０°以下では、水跳ね量は略一定で多いことが分かる。これは図９〜１１に関して前述したように、水が洗浄物に対して、略垂直に着水するため、着水面で水の滞留が起こり、水面が乱れるためである。
これに対し、吐水口角度θが４０°以上では、水跳ねが単調的に減少していることが分かる。これは図１２〜１４に関して前述したように、水が洗浄物に対して、傾斜して着水した場合は、着水した水は、遅延なく排出され、水面の乱れが抑制されるためである。
なお、吐水口角度θが８０°以上では、水面の乱れの抑制が頭打ちとなるため、水跳ね量の減少効果も、飽和し始める。
これにより、４０°以上の場合には、水跳ねの減少効果が大きくなることが分かる。
また、吐水口角度を大きくしていくと、水の流速、流量を変えた場合の、吐水の軌跡の変動が大きくなり、作業効率が悪くなる恐れがあるのに加え、吐水がより遠くまで到達することからシンク３０の前後方向の寸法が大きくなりすぎる恐れがあることから、８０°以下が好ましい。以上より、吐水口角度は４０°以上、８０°以下とすることが好ましい。
【００４４】
図１７は、シャワー吐水の軌跡を例示するための写真である。    
図１７に示す吐水の軌跡は、吐水口角度θが５５°、流速が２．１ｍ／ｓｅｃの場合である。この場合のシンク底面３４に対する着水角度αは５５°程度である。尚、流速が２．１ｍ／ｓｅｃは、システムキッチンにおいて一般的な洗浄作業をする場合を考慮した値である。
【００４５】
図１８は、シャワー吐水の様子を例示するための模式図である。    
図１８に示すように、水栓２０の上部はカウンター上面６２に対して吐水口角度θだけ傾斜しているので、シンク底面３４には着水角度αをもって着水する。そのため、前述したように、水４０は略進行方向に合流して流れ、この流れ４１が形成されることや着水角度αをもって着水することなどから水跳ねや着水音を抑制することができる。また、流れ４１の進行方向には立面（シンク前面３６）があるのでシンク３０の外部への水跳ねを抑止することができる。
ここで、着水角度αをもって着水をさせた場合であっても、着水地点の条件によっては着水した水が滞留して水跳ねを抑制できない場合がある。    
図１９、図２０は、着水した水が滞留して水跳ねを抑制できない場合を例示するための模式図である。    
図１９（ａ）に示すように、着水地点と、着水した水４０の略進行方向にあるシンク前面１３６との距離が近すぎると、シンク前面１３６に衝突した水流が折り返すような流れ４２が生じ、着水点に水が滞留してしまう場合がある。    
また、図１９（ｂ）に示すように、着水した水４０の略進行方向にあるシンク前面１３６とシンク底面１３４との間に曲面１３２ａが形成されている場合には、曲面１３２ａにより水流が折り返すような流れ４３が生じ、着水点に水が滞留してしまう場合がある。尚、図２０は、折り返すような流れ４２、４３を上方から見た図である。このような場合においては、水の流れが乱され滞留が起きるので、図９〜図１１において説明をしたものと同様の理由で水跳ねが多く発生する。
【００４６】
次に、着水点からシンク前面までの距離と水跳ね量との関係を例示する。    
図２１は、着水点からシンク前面までの距離と水跳ね量との関係を求めた試験の概要を例示するための模式図である。    
シンク３０内の図２１に示すような位置に測定用の板１１１を挿入し、水跳ね４０ａにより板１１１の表面についた水滴量を測定した。この場合、吐水口角度θを６０°、流量を５Ｌ／ｍｉｎ、吐出時間を２０秒とし、水栓２０や最上方に位置する散水孔１２７との位置関係を図中に示した寸法としている。そして、着水する水４０の最先端の位置からシンク前面３６までの距離Ｌ７を変えることで着水点からシンク前面までの距離と水跳ね量との関係を求めるようにした。
図２２は、着水する水４０の最先端の位置からシンク前面３６までの距離Ｌ７と水跳ね量との関係を例示するためのグラフ図である。    
尚、横軸は着水する水４０の最先端の位置からシンク前面３６までの距離Ｌ７を表し、縦軸は図２１に例示をした水跳ね試験により測定した水滴量を水跳ね量として表したものである。    
図２２に示すように、図２１に例示をした水跳ね試験によれば、距離Ｌ７を１２ｃｍ以上とすれば、水跳ね量を略一定、且つ１／３以下とすることができる。これは、距離Ｌ７を１２ｃｍ以上とすれば、前述した水流が折り返すような流れの影響がなくなり、着水した水の滞留が抑制されるからである。
またシンク底面３４のうち少なくともシャワー吐水が着水する着水部は、平滑、略水平であることが好ましい。シンク後面３８側が低くなるようシンク底面３４を傾斜させた場合は、排出が遅くなり、滞留が助長されるため好ましくない。シンク底面３４のシンク前面３６側を低くするように傾斜させた場合、傾斜によって水４０の排出が促進され、滞留を抑制することができる。しかしながら、洗い桶やなべなどを置きやすさを考えると、シンク底面３４の着水部は、略水平であることが好ましい。
【００４７】
図２３〜図２５は、シンクの形状により折り返すような流れの影響を抑制する場合を例示するための模式図である。    
図２３に示すように、シンク３１において、着水した水４０の略進行方向にあるシンク前面３６ａとシンク底面３４ａとの間には溝部３１ａが形成されている。溝部３１ａの一方の壁面は、シンク底面３４ａと連接されており、シンク前面３６ａから前方に向けて突出するようにして設けられている。このようにすれば、着水する水４０の最先端の位置からシンク前面３６ａまでの距離が見かけ上小さくても、溝部３１ａの分だけ距離を大きくすることができる。また、溝部３１ａに入った流れ４１ａが折り返す際に溝部３１ａの上方の内壁に当たるので、折り返しを抑制することもできる。
図２４に示すように、シンク３２において、着水した水４０の略進行方向にあるシンク前面３６ｂとシンク底面３４ｂとの間には溝部３２ａが形成されている。溝部３２ａの一方の壁面は、シンク前面３６ｂと連接されており、シンク底面３４ｂから下方に向けて突出するようにして設けられている。このようにすれば、溝部３２ａに入る流れ４１ｂを屈曲させることができるので流れ４１ｂの勢いを落とすことができる。また、流れ４１ｂを下方に落とし込むことで折り返しを抑制することができる。
【００４８】
また、図２５は、流れ４１ａ、４１ｂの様子を上方から見た図である。図２５に示すように、これらの場合においても、図１８などにおいて説明をしたものと同様に水の流れが乱されることがなく水の滞留を抑制することができる。そのため、水跳ねや着水音を抑制することができる。また、水流により汚水などが一方向に押し流され、戻ることがないので衛生的である。
【００４９】
次に、システムキッチン１０の作用とともに洗浄における作業性について例示をする。  図２６は、水栓からシャワー水が吐水されている状態を例示するための模式断面図である。    
一般的に、洗浄物を洗浄する際にはシャワー水が吐水されることが好ましい。本実施の形態に係るシステムキッチン１０の場合においては、図２６に示すように、シャワー吐水部２４からシャワー水（水４０）が吐水される。また、水４０は、前述したように、カウンター上面６２に対して斜め方向から吐水される。また、水４０は、シンク後面３８の上方部近傍から吐水される。この場合、水４０の少なくとも上方側の水４００がシンク前面３６とシンク後面３８との中央部よりもシンク前面３６寄りのシンク底面３４に着水するようにすることが好ましい。吐水された水４０の上方側の水４００がシンク後面３８寄りのシンク底面３４に着水すると、洗浄物や使用者の手がシャワー吐水に届きにくくなり、作業性が劣るためである。
またシンク前面３６寄りのシンク底面３４に着水すると、跳ねた水が高く飛び散る前に、シンク前面に衝突するので、使用者にかかりにくくなるという効果も見込める。しかしながら、図２１で例示した水跳ね試験の結果を考慮すると、シンク前面３６寄りに着水するほど滞留が顕著になり水跳ねが多くなる。そのため、図２３〜図２５に例示したように、シンク前面から折り返すような流れを抑制する対策を講じ、シンク前面３６寄りのシンク底面３４に着水させることが最も好ましい。
【００５０】
また、前述したように、シャワー吐水部２４は、カウンター前縁６４に対して略垂直な方向を長手方向とする偏平断面形状の吐水が可能となるような構造を有している。そのため、斜め方向から吐水され偏平断面形状を有する吐水はカウンター上面６２を横切る際には、システムキッチン１０の前後方向に長い長さを有する断面形状を有することになる。その結果、洗浄物に対して広範囲に水を当てることができるようになる。
【００５１】
図２７は、整流水の吐水状態を例示するための模式断面図である。    
一般的に、口の狭い瓶やヤカンなどに水を入れる場合には、整流水が吐水されることが好ましい。本実施の形態に係るシステムキッチン１０の場合においては、図２７に示すように、整流吐水部２２から整流水（水４０）が吐水される。尚、シャワー水と整流水との切換は、水栓２０に設けられた図示しない切換手段を操作することで行うことができる。
【００５２】
また、水４０は、前述したように、カウンター上面６２に対して斜め方向から吐水される。また、水４０は、シンク後面３８の上方部近傍から吐水される。この場合、シンク前面３６とシンク後面３８との中央部よりもシンク前面３６寄りのシンク底面３４に着水するようにすることが好ましい。吐水された水４０がシンク後面３８寄りのシンク底面３４に着水すると、洗浄物や使用者の手が吐水に届きにくくなり、作業性が劣るためである。
またシンク前面３６寄りのシンク底面３４に着水すると、跳ねた水が高く飛び散る前に、シンク前面に衝突するので、使用者にかかりにくくなるという効果も見込める。しかしながら、図２１で例示した水跳ね試験の結果を考慮すると、シンク前面３６寄りに着水するほど滞留が顕著になり水跳ねが多くなる。そのため、図２３〜図２５に例示したように、シンク前面から折り返すような流れを抑制する対策を講じ、シンク前面３６寄りのシンク底面３４に着水することが最も好ましい。
【００５３】
また、図２６、図２７に示すように、定流量手段７０を設けて流量あるいは水圧を固定して定流量にて吐水をさせるようにすれば、着水位置を一定の範囲内に収めることができる。ただし、定流量手段７０は必ずしも必要ではなく、必要に応じて適宜設けるようにすればよい。
【００５４】
また、シャワー水と整流水とは、同様の領域を通過することが好ましい。例えば、シンク前面３６とシンク後面３８との中央部と、カウンター上面６２と、が交差する領域を通過するようにすることができる。同様の領域を通過するようにすれば、吐水形態（整流水、シャワー水）に応じて使用者が食器や手などを洗う領域と瓶などに水を入れる領域とを変更する必要がなくなり、使用者の洗浄における身体の負荷を低減することができる。
【００５５】
図２８は、本実施の形態にかかるシステムキッチンの模式平面図である。    
前述したように、シャワー吐水部２４から吐水されたシャワー水は、カウンター上面６２に対して斜め方向から吐水される。また、シャワー吐水部２４に固定される散水板２６などにより、シャワー水の断面は略矩形の形状を呈している。そのため、カウンター上面６２の高さをシャワー吐水が横切る際の水平方向断面は、領域４２の如く、カウンター前縁６４に対して略垂直な方向を長手方向とする偏平形状を呈している。
【００５６】
この場合、縦幅寸法Ｌ６（図４を参照）が６５ｍｍ程度であれば、領域４２の前後方向の長さＬ１は、７０ｍｍ〜７５ｍｍ程度となる。これは、カウンター上面６２に対して斜め方向から吐水がされるためである。一方、領域４２の左右方向の長さＬ５ｃは、横幅寸法Ｌ５（図４を参照）と同様となる。尚、前述したものの場合は、２０ｍｍ程度である。このように、水栓２０から吐水される水の断面を偏平形状とし、カウンター上面６２に対して斜め方向から吐水することにより、洗浄水を広範囲に吐水することができるようになる。
図２９は、本実施の形態にかかるシステムキッチンの模式正面図である。  
図２９に示した模式正面図においては、使用者８０がシンク３０の前方に直立した状態を表している。この状態において、使用者８０は整流吐水口２２ａおよびシャワー吐水口２４ａの一部を目視することができる。ここで、整流吐水口２２ａおよびシャワー吐水口２４ａの一部とは、例えば散水孔２７ａ（図３を参照）などように、水４０が吐水される孔の一部を意味するものであって、整流吐水口２２ａおよびシャワー吐水口２４ａの外形の一部を意味するものではない。
【００５７】
すなわち、シンク３０の前方に直立した使用者８０は、水４０が吐水される孔の一部を直接的に目視することができる。したがって、整流吐水口２２ａまたはシャワー吐水口２４ａから水４０が吐水されている場合には、使用者８０は吐水用の孔から水４０が吐出している状態を確認（目視）することができる。
【００５８】
図３０は、比較例に係るシステムキッチンを例示するための模式断面図である。  
図３０に示すように、水栓２００は、所定の寸法よりも上方部が、カウンター上面６２に対して傾斜しておらず、略平行となっている。そして、略平行となっている部分がシステムキッチンの前方へ向けて張り出している。また、水栓２００には、整流吐水部２２と、シャワー吐水部２４と、が設けられている。また、シャワー吐水部２４には、散水板２６が固定されている。
比較例に係るシステムキッチンにおいては、水栓２００がシステムキッチンの前方へ向けて張り出している。そのため、水栓２００が邪魔となってシンク３０内およびその上方を広く使用することができない。すなわち、一部に使用することができない範囲を有するいびつな領域５６しか使用することができない。また、洗浄や水入れなどの作業位置と使用者の目との間に水栓２００が入ることで視線が遮られるので、作業性が著しく悪くなるおそれがある。
【００５９】
これに対し本実施の形態に係るシステムキッチン１０においては、図２６、図２７に示すように、水栓２０の上方部がカウンター上面６２に対して傾斜している。そのため、システムキッチン１０の前方への張り出しも少ない。その結果、使用者はシンク３０内およびその上方の領域５４を広く使用することができる。また、水栓２０によって視界が遮られることもない。そのため、作業性を大幅に向上させることができる。
また、図２８に示すように、水栓２０から吐水される水の断面を偏平形状とするとともに、カウンター上面６２に対して斜め方向から吐水することにより、洗浄水を広範囲に吐水することができる。そのため、洗浄面積を大きくできるとともに洗浄物の表面を流れる水流により洗浄効率を上げることができる。その結果、作業性を大幅に向上させることができる。    
また、図２９に示すように、シンク３０の前方に直立した使用者８０は、吐水用の孔から水４０が吐出している状態を確認（目視）することができる。そのため、作業性を大幅に向上させることができる。
また、前述したように、斜め方向からシンク底面３４に着水させることで水跳ねや着水音を抑制することができる。そのため、跳ねた水の後始末をする必要もなくなるので、作業性を大幅に向上させることができる。
さらに、散水孔は、水垢や菌などの汚れの堆積、錆びが生じやすく、不衛生になりやすい。衛生的な状態を保つには、頻繁な清掃が必要となるが、散水孔が目視可能であることは、散水孔近傍の衛生状態が、監視しやすくなるため、頻繁な清掃が促されやすくなる。
【００６０】
以上、本発明の実施の形態について例示をした。しかし、本発明はこれらの記述に限定されるものではない。      
前述の実施の形態に関して、当業者が適宜設計変更を加えたものも、本発明の特徴を備えている限り、本発明の範囲に包含される。      
例えば、システムキッチン１０が備える各要素の形状、寸法、材質、配置、数などは、例示したものに限定されるわけではなく適宜変更することができる。      
また、前述した各実施の形態が備える各要素は、可能な限りにおいて組み合わせることができ、これらを組み合わせたものも本発明の特徴を含む限り本発明の範囲に包含される。
【図面の簡単な説明】
【００６１】
【図１】本発明の実施の形態に係るシステムキッチンを例示するための模式斜視図である。
【図２】水栓の吐水口部分を例示するための模式図である。
【図３】シャワー吐水部に設けられる散水板を例示するための模式図である。
【図４】洗浄対象の形状を例示するための模式図である。
【図５】シャワー吐水部に固定される散水板の変形例を例示するための模式図である。
【図６】シャワー吐水部に固定される散水板の変形例を例示するための模式図である。
【図７】シャワー吐水部に固定される散水板の変形例を例示するための模式図である。
【図８】シャワー吐水部に固定される散水板の変形例を例示するための模式図である。
【図９】着水面に対し垂直に吐水がされた場合の水跳ねを例示するための模式図である。
【図１０】着水面に対し垂直に吐水がされた場合の水跳ねを例示するための模式図である。
【図１１】着水面に対し垂直に吐水がされた場合の水跳ねを例示するための模式図である。
【図１２】着水面に対し斜め方向から吐水がされた場合の水跳ねを例示するための模式図である。
【図１３】着水面に対し斜め方向から吐水がされた場合の水跳ねを例示するための模式図である。
【図１４】着水面に対し斜め方向から吐水がされた場合の水跳ねを例示するための模式図である。
【図１５】水跳ね試験の概要を例示するための模式図である。
【図１６】吐水口角度と水跳ねとの関係を例示するためのグラフ図である。
【図１７】シャワー吐水の軌跡を例示するための写真である。
【図１８】シャワー吐水の様子を例示するための模式図である。
【図１９】着水した水が滞留して水跳ねを抑制できない場合を例示するための模式図である。
【図２０】着水した水が滞留して水跳ねを抑制できない場合を例示するための模式図である。
【図２１】着水点からシンク前面までの距離と水跳ね量との関係を求めた試験の概要を例示するための模式図である。
【図２２】着水する水の最先端の位置からシンク前面までの距離と水跳ね量との関係を例示するためのグラフ図である。
【図２３】シンクの形状により折り返すような流れの影響を抑制する場合を例示するための模式図である。
【図２４】シンクの形状により折り返すような流れの影響を抑制する場合を例示するための模式図である。
【図２５】シンクの形状により折り返すような流れの影響を抑制する場合を例示するための模式図である。
【図２６】水栓からシャワー水が吐水されている状態を例示するための模式断面図である。
【図２７】整流水の吐水状態を例示するための模式断面図である。
【図２８】本実施の形態にかかるシステムキッチンの模式平面図である。
【図２９】本実施の形態にかかるシステムキッチンの模式正面図である。
【図３０】比較例に係るシステムキッチンを例示するための模式断面図である。
【符号の説明】
【００６２】
１０ システムキッチン、  ２０ 水栓、  ２２ 整流吐水部、  ２４ シャワー吐水部、  ２６ 散水板、  ２６ａ〜２６ｂ 散水板、  ２７ 散水孔群、  ２７ａ 散水孔、  ２８、２９ 散水スリット、３０ シンク、  ３４ シンク底面、  ３６ シンク前面、  ３７ シンク左側面、  ３８ シンク後面、  ４０ 水（洗浄水）、４０ａ水跳ね、  ４０ｂ 水、  ５４、５６ 領域、  ６０ カウンター、  ６２ カウンター上面、  ６４ カウンター前縁、  ８０ 使用者、  １００ 着水面、  θ 吐水口角度、  α 着水角度
【図１】
2009235821.tif 000003
【図２】
2009235821.tif 000004
【図３】
2009235821.tif 000005
【図４】
2009235821.tif 000006
【図５】
2009235821.tif 000007
【図６】
2009235821.tif 000008
【図７】
2009235821.tif 000009
【図８】
2009235821.tif 000010
【図９】
2009235821.tif 000011
【図１０】
2009235821.tif 000012
【図１１】
2009235821.tif 000013
【図１２】
2009235821.tif 000014
【図１３】
2009235821.tif 000015
【図１４】
2009235821.tif 000016
【図１５】
2009235821.tif 000017
【図１６】
2009235821.tif 000018
【図１８】
2009235821.tif 000019
【図１９】
2009235821.tif 000020
【図２０】
2009235821.tif 000021
【図２１】
2009235821.tif 000022
【図２２】
2009235821.tif 000023
【図２３】
2009235821.tif 000024
【図２４】
2009235821.tif 000025
【図２５】
2009235821.tif 000026
【図２６】
2009235821.tif 000027
【図２７】
2009235821.tif 000028
【図２８】
2009235821.tif 000029
【図２９】
2009235821.tif 000030
【図３０】
2009235821.tif 000031
【図１７】
2009235821.tif 000032